(57)【要約】【課題】電気機器において、交流電力の入力の異常が発生した場合に、シャットダウン処理を完了させることができ、さらに、待機モードで動作している制御系機器が速やかに停止できること。【解決手段】スイッチ制御回路７３は、第１異常状態と第２異常状態とを検知し、前記第１異常状態を検知したときに、動力系機器４０１の少なくとも一部に対応する給電スイッチを遮断状態にさせ、前記第２異常状態を検知したときに前記給電スイッチを接続状態にさせる。前記第１異常状態は、制御系機器４０２が通常モードで動作している状況下で、異常検知回路７１が交流電力ＡＣ０の入力異常を検知した状態である。前記第２異常状態は、前記制御系機器４０２が待機モードで動作している状況下で、前記異常検知回路７１が前記交流電力ＡＣ０の入力異常を検知した状態である。【選択図】図２
2018120534.tif 000002
【特許請求の範囲】
【請求項１】
プロセッサーおよび情報を表示する表示装置を含み、通常モードおよび前記通常モードよりも消費電力の小さな待機モードで選択的に動作可能な制御系機器と、
供給された電力を駆動力または熱へ変換する複数の電気部品を含む動力系機器と、
電解コンデンサーを含み、入力される交流電力を直流電力へ変換し、前記電解コンデンサーと電気的に並列に接続された前記動力系機器および前記制御系機器へ前記直流電力を供給する主電源回路と、
前記制御系機器が前記通常モードおよび前記待機モードのいずれのモードで動作中であるかを検知するモード検知回路と、
入力される第１スイッチ制御信号に従って、前記主電源回路と前記動力系機器の少なくとも一部とを電気的に接続する接続状態および電気的に遮断する遮断状態に切り替わる第１給電スイッチと、
前記交流電力の入力異常の有無を検知する異常検知回路と、
第１異常状態と第２異常状態とを検知し、前記第１異常状態を検知したときに前記第１給電スイッチを前記遮断状態にさせる前記第１スイッチ制御信号を出力し、前記第２異常状態を検知したときに前記第１給電スイッチを前記接続状態にさせる前記第１スイッチ制御信号を出力するスイッチ制御回路と、を備え、
前記第１異常状態は、前記制御系機器が前記通常モードで動作していることを前記モード検知回路が検知している状況下で、前記異常検知回路が前記交流電力の入力異常を検知した状態であり、前記第２異常状態は、前記制御系機器が前記待機モードで動作していることを前記モード検知回路が検知している状況下で、前記異常検知回路が前記交流電力の入力異常を検知した状態である、電気機器。
【請求項２】
入力される第２スイッチ制御信号に従って、前記主電源回路と前記動力系機器のうち前記第１給電スイッチと電気的に接続された一部を除く他の一部とを電気的に接続する接続状態および電気的に遮断する遮断状態に切り替わる第２給電スイッチをさらに備え、
前記スイッチ制御回路は、前記第１異常状態を検知したとき、および前記第２異常状態を検知したときに、前記第２給電スイッチを前記遮断状態にさせる前記第２スイッチ制御信号を出力する、請求項１に記載の電気機器。
【請求項３】
前記動力系機器は、前記第１給電スイッチと電気的に接続された通気ファンおよびヒーターの一方または両方を含む、請求項１または請求項２に記載の電気機器。
【請求項４】
前記主電源回路は、
前記交流電力が入力される一次側回路から二次側回路へ電力を伝達する高周波トランスと、
前記二次側回路の負荷電力の大きさを検出し、前記一次側回路において検出信号を出力する負荷フィードバック回路と、
前記一次側回路において、前記負荷フィードバック回路の検出信号のレベルに応じて前記一次側回路の出力電力を調節する一次側出力調節回路と、を含むスイッチング電源回路であり、
前記負荷フィードバック回路は、
前記二次側回路の出力電圧を安定化させるレギュレータ素子と、
前記レギュレータ素子の動作状態を前記二次側回路から前記一次側回路へ帰還させるフォトカプラと、
前記一次側回路において、前記フォトカプラの動作状態に応じてレベルが変化する負荷検出信号を生成する負荷検出回路と、を含み、
前記モード検知回路は、前記一次側回路において、前記負荷検出信号のレベルと予め定められたモード判定レベルとを比較することによって前記制御系機器が前記通常モードおよび前記待機モードのいずれのモードで動作中であるかを検知する、請求項１から請求項３のいずれか１項に記載の電気機器。
【請求項５】
シートに画像を形成する画像形成部をさらに備える請求項１から請求項４のいずれか１項に記載の電気機器。
【発明の詳細な説明】
【技術分野】
【０００１】
本発明は、電気機器に関する。
【背景技術】
【０００２】
一般に、プリンター、複写機または複合機などの電気機器は、主電源回路と、比較的省電力の小さなプロセッサーおよび表示装置などを含む制御系機器と、比較的消費電力の大きな複数の電気部品を含む動力系機器とを備える。前記動力系機器は、例えばモーターまたはヒーターなどを含む。
【０００３】
また、前記主電源回路は、入力される交流電力を直流電力へ変換し、電解コンデンサーと電気的に並列に接続された前記動力系機器および前記制御系機器へ前記直流電力を供給する。
【０００４】
前記制御系機器の前記プロセッサーは、停止する前に、次に正常に起動できるように、予め定められたシャットダウン処理を実行する必要がある。
【０００５】
一般に、前記主電源回路は、前記制御系機器および前記動力計機器と電気的に並列に接続された電解コンデンサーを備える。これにより、停電などにより前記交流電力の入力の異常が発生した後も、前記主電源回路は、前記シャットダウン処理が完了するまで、前記電解コンデンサーから前記プロセッサーを含む前記制御系機器への給電を続けることができる。
【０００６】
また、前記画像形成装置において、前記主電源回路の給電ラインに設けられたスイッチがオフである場合に、画像形成部への給電が遮断され、前記シャットダウン処理を実行するコントローラーへの給電が継続されることが知られている（例えば、特許文献１参照）。これにより、前記スイッチがオフである場合の消費電力が低減される。
【先行技術文献】
【特許文献】
【０００７】
【特許文献１】特開２０１１−１７３２８６号公報
【発明の概要】
【発明が解決しようとする課題】
【０００８】
ところで、前記制御系機器は、通常モードおよび前記通常モードよりも消費電力の小さな待機モードで選択的に動作可能である。一般に、前記プロセッサーは、前記通常モードから前記待機モードへ移行する前に、前記動力系機器の全てを停止させ、前記シャットダウン処理を実行する。
【０００９】
また、前記シャットダウン処理において不揮発性メモリーに保存すべきデータが多いなどの理由により、前記主電源回路は、比較的大容量の前記電解コンデンサーを備えている。
【００１０】
従って、前記制御系機器が前記待機モードで動作しているときに、停電などにより前記交流電力の入力の異常が発生した場合、前記表示装置が動作可能な状態が、比較的長い時間継続する。この場合、ユーザーが、前記交流電力の入力の異常が発生した後のしばらくの間、前記画像形成装置を利用可能であるかのような錯覚を覚えるおそれがある。
【００１１】
本発明の目的は、交流電力の入力の異常が発生した場合に、制御系機器がシャットダウン処理を完了させることができ、さらに、前記制御系機器が待機モードで動作しているときに前記異常が発生した場合に、前記制御系機器が速やかに停止する電気機器を提供することにある。
【課題を解決するための手段】
【００１２】
本発明の一の局面に係る電気機器は、制御系機器と、動力系機器と、主電源回路と、モード検知回路と、給電スイッチと、異常検知回路と、スイッチ制御回路と、を備える。前記制御系機器は、プロセッサーおよび情報を表示する表示装置を含み、通常モードおよび前記通常モードよりも消費電力の小さな待機モードで選択的に動作可能である。前記動力系機器は、供給された電力を駆動力または熱へ変換する複数の電気部品を含む。前記主電源回路は、電解コンデンサーを含み、入力される交流電力を直流電力へ変換し、前記電解コンデンサーと電気的に並列に接続された前記動力系機器および前記制御系機器へ前記直流電力を供給する。前記モード検知回路は、前記制御系機器が前記通常モードおよび前記待機モードのいずれのモードで動作中であるかを検知する。前記給電スイッチは、入力されるスイッチ制御信号に従って、前記主電源回路と前記動力系機器の少なくとも一部とを電気的に接続する接続状態および電気的に遮断する遮断状態に切り替わる。前記異常検知回路は、前記交流電力の入力異常の有無を検知する。前記スイッチ制御回路は、第１異常状態と第２異常状態とを検知し、前記第１異常状態を検知したときに前記第１給電スイッチを前記遮断状態にさせる前記第１スイッチ制御信号を出力し、前記第２異常状態を検知したときに前記第１給電スイッチを前記接続状態にさせる前記第１スイッチ制御信号を出力する。前記第１異常状態は、前記制御系機器が前記通常モードで動作していることを前記モード検知回路が検知している状況下で、前記異常検知回路が前記交流電力の入力異常を検知した状態である。前記第２異常状態は、前記制御系機器が前記待機モードで動作していることを前記モード検知回路が検知している状況下で、前記異常検知回路が前記交流電力の入力異常を検知した状態である。
【発明の効果】
【００１３】
本発明によれば、交流電力の入力の異常が発生した場合に、制御系機器がシャットダウン処理を完了させることができ、さらに、前記制御系機器が待機モードで動作しているときに前記異常が発生した場合に、前記制御系機器が速やかに停止する電気機器を提供することが可能になる。
【図面の簡単な説明】
【００１４】
【図１】図１は、実施形態に係る電気機器の一例である画像形成装置の構成図である。
【図２】図２は、画像形成装置における主電源回路および給電制御回路の一部の構成図である。
【図３】図３は、画像形成装置における給電制御回路の他の一部の構成図である。
【発明を実施するための形態】
【００１５】
以下、添付図面を参照しながら、本発明の実施形態について説明する。なお、以下の実施形態は、本発明を具体化した一例であって、本発明の技術的範囲を限定する性格を有さない。
【００１６】
［画像形成装置１０の構成］
まず、図１を参照しつつ、実施形態に係る電気機器の一例である画像形成装置１０の構成について説明する。画像形成装置１０は、電子写真方式でシート９に画像を形成する画像形成部４を備える装置である。シート９は、用紙またはＯＨＰシートなどのシート状の画像形成媒体である。
【００１７】
画像形成装置１０は、本体１００内に配置されたシート搬送部３、画像形成部４および制御ユニット８を備える。制御ユニット８は、主電源回路５０を含む給電回路５と、ＣＰＵ（Central Processing Unit）６と、データ記憶部６１と、温湿度センサー６２とを含む。さらに、画像形成装置１０は、操作部８１および表示装置８２なども備える。
【００１８】
操作部８１および表示装置８２は、ユーザーインターフェイスである。操作部８１は、ユーザーの操作を受け付ける装置であり、例えば操作ボタンまたはタッチパネル装置などである。表示装置８２は、ユーザーに対して情報を表示する装置であり、例えば液晶パネルユニットなどである。
【００１９】
ＣＰＵ６はプロセッサーの一例である。データ記憶部６１は、コンピューター読み取り可能な不揮発性の記憶部である。例えば、データ記憶部６１がフラッシュメモリーなどであることが考えられる。温湿度センサー６２は、画像形成装置１０が設置された環境の温度および湿度を検出するセンサーである。
【００２０】
シート搬送部３は、シート送出部３０および複数組の搬送ローラー対３１を備える。シート送出部３０は、シート補給部１０１に載置されたシート９を、装置内のシート搬送路３００へ送り出す。複数組の搬送ローラー対３１は、シート９をシート搬送路３００に沿って搬送する。
【００２１】
複数組の搬送ローラー対３１のうちのシート搬送路３００の最も下流側の位置に設けられた一対が、シート９をシート搬送路３００から排出トレイ１０２へ排出する。
【００２２】
画像形成部４は、光走査ユニット４０、感光体４１、帯電装置４２、現像装置４３、トナー補給ユニット４４、転写装置４５、クリーニング装置４６および定着装置４７などを備える。
【００２３】
画像形成部４において、ドラム状の感光体４１が回転し、帯電装置４２が感光体４１の外周面を一様に帯電させる。光走査ユニット４０が、帯電した感光体４１の外周面にビーム光を走査することにより、感光体４１の外周面に静電潜像を書き込む。なお、感光体４１は、表面に静電潜像が形成される像担持体の一例である。
【００２４】
帯電装置４２は、感光体４１の表面を帯電させる帯電ローラー４２１と、帯電ローラー４２１に帯電電圧を印加する帯電電圧印加回路４２２とを備える。
【００２５】
現像装置４３は、現像ローラー４３１、循環搬送部４３２および現像電圧印加回路４３３などを備える。循環搬送部４３２は、現像装置４３内でトナーを含む現像剤９０を循環搬送する。
【００２６】
現像電圧印加回路４３３は、現像ローラー４３１に現像電圧を印加する。現像ローラー４３１は、感光体４１の表面に形成された前記静電潜像をトナー像へ現像する。
【００２７】
転写装置４５は、感光体４１の表面に形成された前記トナー像を、シート搬送路３００を移動中のシート９に転写する。
【００２８】
定着装置４７は、シート９に転写された前記トナー像を加熱することにより、前記トナー像をシート９に定着させる。定着装置４７は、定着ローラー４７１、加圧ローラー４７２、定着ローラー４７１を加熱するヒーター４７３、ヒーター電源４７４および定着温度センサー４７５などを有する。
【００２９】
定着ローラー４７１および加圧ローラー４７２は、前記トナー像が転写されたシート９を挟んで回転する。ヒーター電源４７４は、ヒーター４７３に電力を供給する。
【００３０】
定着温度センサー４７５は、定着ローラー４７１の温度を検出するサーミスターなどの温度センサーである。また、ヒーター電源４７４は、例えばＰＷＭ制御によって前記ヒーター電力を調節可能なインバーター電源回路などである。
【００３１】
クリーニング装置４６は、感光体４１の表面における転写装置４５を通過後の部分に残存する前記トナーを除去する。トナー補給ユニット４４は、補給用の前記トナーを収容し、前記トナーを現像装置４３へ補給する。
【００３２】
画像形成装置１０は、駆動モーター１０３、モーター電源１０４、通気ファン１０５およびファン電源１０６などをさらに備える。
【００３３】
駆動モーター１０３は、複数組の搬送ローラー対３１、感光体４１、現像ローラー４３１、転写ローラー４５１および定着ローラー４７１などの回転体を駆動する。駆動モーター１０３の回転力は、不図示のギヤ機構を通じて前記回転体へ伝達される。モーター電源１０４は、駆動モーター１０３に電力を供給する回路である。
【００３４】
通気ファン１０５は、モーターを内蔵し、本体１００内を換気するファンである。ファン電源１０６は、通気ファン１０５に電力を供給する回路である。
【００３５】
データ記憶部６１は、ＣＰＵ６によって実行されるプログラムおよび各種の補正制御に用いられる補正データなどを予め記憶する。また、ＣＰＵ６は、停止する前に、画像形成装置１０の各種の状態を表す状態データをデータ記憶部６１に記録する。ＣＰＵ６は、起動したときに前記状態データをデータ記憶部６１から取得し、前記状態データに基づいて各種の制御パラ-メータの初期値を設定する。
【００３６】
ＣＰＵ６は、データ記憶部６１に記憶された前記プログラムを実行することにより、各種の制御を実行する。例えば、ＣＰＵ６は、操作部８１、表示装置８２、帯電電圧印加回路４２２、現像電圧印加回路４３３、転写電圧印加回路４５２、ヒーター電源４７４およびファン電源１０６などを制御する。
【００３７】
より具体的には、ＣＰＵ６は、定着温度センサー４７５により検出される定着温度と目標温度との比較によるフィードバック制御により、ヒーター電源４７４の出力電力を制御する。
【００３８】
さらに、ＣＰＵ６は、温湿度センサー６２によって検出される温度および湿度に応じて、帯電電圧印加回路４２２、現像電圧印加回路４３３、転写電圧印加回路４５２、ヒーター電源４７４、モーター電源１０４およびファン電源１０６などを制御する。
【００３９】
駆動モーター１０３および通気ファン１０５は、供給された電力を駆動力へ変換する電機部品である。また、ヒーター４７３は、供給された電力を熱へ変換する電気部品である。以下の説明において、駆動モーター１０３、通気ファン１０５およびヒーター４７３を含む前記電気部品のことを動力系機器４０１と称する（図３参照）。
【００４０】
一方、ＣＰＵ６、操作部８１、表示装置８２、データ記憶部６１、温湿度センサー６２および定着温度センサー４７５などは、前記動力系機器に比べて消費電力が小さな電子部品である。以下の説明において、消費電力が小さなこれらの電子部品のことを制御系機器４０２と称する（図３参照）。
【００４１】
ＣＰＵ６を含む制御系機器４０２は、通常モードおよび前記通常モードよりも消費電力の小さな待機モードで選択的に動作可能である。前記待機モードが、省電力モードなどと称される場合もある。
【００４２】
例えば、印刷ジョブが終了した後、印刷ジョブデータの受信および操作部８１に対する操作がない状態が予め定められた時間継続した場合に、制御系機器４０２は、前記通常モードから前記待機モードへ移行する。
【００４３】
また、制御系機器４０２が前記待機モードで動作しているときに、予め定められた復帰イベントが発生した場合に、ＣＰＵ６が起動し、これにより、制御系機器４０２が前記待機モードから前記通常モードへ移行する。前記復帰イベントは、例えば、前記印刷ジョブデータを受信したこと、または、操作部８１に対して何らかの操作が行われたことなどである。
【００４４】
［給電回路５の概要］
給電回路５は、商用電源１０００から供給される交流電力ＡＣ０を直流電力へ変換し、前記直流電力を動力系機器４０１および制御系機器４０２に供給する回路である。
【００４５】
給電回路５は、交流電力ＡＣ０を前記直流電力へ変換する主電源回路５０を含む。主電源回路５０は、保護回路５１、全波整流回路５２、電圧調整回路５３、補助電解コンデンサー５４、高周波トランス５５、二次電解コンデンサー５６および負荷フィードバック回路５７などを含む。高周波トランス５５は、磁気結合された一次コイル５５ａおよび二次コイル５５ｂを含む。
【００４６】
保護回路５１は、過電流が流れることを防ぐヒューズ５１ａ、過電圧が印加されることを防ぐバリスタ５１ｂおよびノイズフィルター５１ｃを含む。
【００４７】
全波整流回路５２は、交流電圧を全波整流するブリッジ整流回路５２ａおよび全波整流後の電圧を平滑化する平滑コンデンサーである一次電解コンデンサー５２ｂを含む。また、高周波トランス５５は、交流電力ＡＣ０が入力される一次側回路から二次側回路へ電力を伝達する。前記一次側回路は、一次コイル５５ａに対して電気的に接続された回路であり、前記二次側回路は、二次コイル５５ｂに対して電気的に接続された回路である。
【００４８】
前記一次側回路は、保護回路５１、全波整流回路５２、電圧調整回路５３、補助電解コンデンサー５４および負荷フィードバック回路５７の一部を含む。前記二次側回路は、二次電解コンデンサー５６および負荷フィードバック回路５７の残りの一部を含む。
【００４９】
電圧調整回路５３は、電圧制御素子５３ａおよびスイッチング素子５３ｂを含む。電圧制御素子５３ａは、負荷フィードバック回路５７によって検出される二次側負荷のレベルに基づくＰＷＭ制御によってスイッチング素子５３ｂを制御する。スイッチング素子５３ｂは、電圧制御素子５３ａによる制御に従って、一次コイル５５ａに供給する電力を調節する。これにより、主電源回路５０の出力電圧が予め定められた一定の目標電圧に維持される。なお、前記二次側負荷は、主電源回路５０の出力端に接続された負荷である。
【００５０】
負荷フィードバック回路５７は、シャントレギュレータ５７ａ、フォトカプラ５７ｂ、負荷検出コンデンサー５７ｃおよび定電流回路５７ｄを含む。シャントレギュレータ５７ａおよびフォトカプラ５７ｂの発光素子は、主電源回路５０の出力端に接続されている。フォトカプラ５７ｂの受光素子および負荷検出コンデンサー５７ｃは、主電源回路５０の一次側において電気的に並列に接続されている。
【００５１】
定電流回路５７ｄは、フォトカプラ５７ｂの前記受光素子および負荷検出コンデンサー５７ｃに対して電気的に直列に接続されている。なお、本実施形態における定電流回路５７ｄは、電圧制御素子５３ａに内蔵されている。
【００５２】
主電源回路５０の出力電圧が、前記二次側負荷の低下によって前記目標電圧を上回った場合、シャントレギュレータ５７ａおよびフォトカプラ５７ｂがＯＮ状態となり、負荷検出コンデンサー５７ｃの電圧が低下する。
【００５３】
一方、主電源回路５０の出力電圧が、前記二次側負荷の増大によって前記目標電圧を下回った場合、シャントレギュレータ５７ａおよびフォトカプラ５７ｂがＯＦＦ状態となり、負荷検出コンデンサー５７ｃの電圧が、定電流回路５７ｄから流れ込む電荷によって上昇する。
【００５４】
なお、シャントレギュレータ５７ａは、前記二次側回路の出力電圧を安定化させるレギュレータ素子の一例である。また、フォトカプラ５７ｂは、シャントレギュレータ５７ａの動作状態を前記二次回路から前記一次回路へ帰還させる役割を果たす。
【００５５】
負荷検出コンデンサー５７ｃの電圧レベルが、前記二次側負荷のレベルを表す。電圧制御素子５３ａは、負荷検出コンデンサー５７ｃの電圧レベルに基づくＰＷＭ制御によってスイッチング素子５３ｂを制御する。
【００５６】
以上に示されるように、負荷フィードバック回路５７は、前記二次側回路の負荷電力の大きさを検出し、前記一次側回路において検出信号を出力する回路の一例である。ここで、負荷検出コンデンサー５７ｃの電圧信号が、前記二次側回路の負荷電力の大きさを表す前記検出信号の一例である。
【００５７】
また、前記一次側回路において電気的に直列に接続された定電流回路５７ｄおよび負荷検出コンデンサー５７ｃを含む回路は、フォトカプラ５７ｂの動作状態に応じてレベルが変化する負荷検出信号を生成する負荷検出回路の一例である。ここで、負荷検出コンデンサー５７ｃの電圧信号が、前記負荷検出信号の一例である。
【００５８】
また、電圧制御素子５３ａおよびスイッチング素子５３ｂは、前記一次側回路において、負荷フィードバック回路５７の検出信号のレベルに応じて前記一次側回路の出力電力を調節する。電圧制御素子５３ａおよびスイッチング素子５３ｂは、一次側出力調節回路の一例である。
【００５９】
即ち、主電源回路５０は、高周波トランス５５と、負荷フィードバック回路５７と、前記一次側出力調節回路とを含むスイッチング電源回路の一例である。補助電解コンデンサー５４は、電圧調整回路５３用の電源を平滑化する平滑コンデンサーである。
【００６０】
二次電解コンデンサー５６は、高周波トランス５５の二次コイル５５ｂから出力される高周波の電圧を整流する。主電源回路５０は、二次電解コンデンサー５６と電気的に並列に接続された動力系機器４０１および制御系機器４０２へ直流電力を供給する。
【００６１】
図２，３に示される例において、主電源回路５０が出力する直流電力は、動力系給電ライン５８を通じて動力系機器４０１に供給され、制御系給電ライン５９を通じて制御系機器４０２に供給される。
【００６２】
二次電解コンデンサー５６は、主電源回路５０への交流電力ＡＣ０の入力が意図せず遮断された場合の二次電池でもある。制御系機器４０２のＣＰＵ６は、交流電力ＡＣ０の入力異常が発生した場合に、二次電解コンデンサー５６から給電されることにより、予め定められたシャットダウン処理を実行可能である。これにより、ＣＰＵ６は、交流電力ＡＣ０の入力が復旧した場合に、正常に起動できる。
【００６３】
例えば、ＣＰＵ６は、前記シャットダウン処理において、前記シャットダウン処理が行われる前の画像形成装置１０の各種の状態を表す状態データをデータ記憶部６１に記録する。そして、ＣＰＵ６は、起動したときに前記状態データをデータ記憶部６１から取得し、前記状態データに基づいて各種の制御パラ-メータの初期値を設定する。
【００６４】
ところで、制御系機器４０２は、前述したように前記通常モードおよび前記待機モードで選択的に動作可能である。ＣＰＵ６は、前記通常モードから前記待機モードへ移行する前に、動力系機器４０１の全てを停止させ、前記シャットダウン処理を実行する。
【００６５】
また、前記シャットダウン処理においてデータ記憶部６１に保存すべきデータが多いなどの理由により、主電源回路５０は、比較的大容量の二次電解コンデンサー５６を備えている。
【００６６】
従って、制御系機器４０２が前記待機モードで動作しているときに、停電などにより交流電力ＡＣ０の入力の異常が発生した場合、表示装置８２が動作可能な状態が、比較的長い時間継続する。この場合、ユーザーが、交流電力ＡＣ０の入力の異常が発生した後のしばらくの間、画像形成装置１０を利用可能であるかのような錯覚を覚えるおそれがある。
【００６７】
後述するように、画像形成装置１０は、給電制御回路７をさらに備える（図２，３参照）。これにより、交流電力ＡＣ０の入力の異常が発生した場合に、制御系機器４０２が前記シャットダウン処理を完了させることができる。さらに、制御系機器４０２が待機モードで動作しているときに前記異常が発生した場合に、表示装置８２を含む制御系機器４０２が速やかに停止する。以下、給電制御回路７について説明する。
【００６８】
［給電制御回路７］
給電制御回路７は、異常検知回路７１と、モード検知回路７２と、給電スイッチ７４ａ，７４ｂと、スイッチ制御回路７３とを含む。
【００６９】
異常検知回路７１は、主電源回路５０への交流電力ＡＣ０の入力異常の有無を検知する回路である。図２に示される例では、異常検知回路７１は、両波整流回路７１ａおよび比較回路７１ｂを含む。両波整流回路７１ａは、主電源回路５０に入力される交流電圧を整流する。
【００７０】
比較回路７１ｂは、予め定められた監視時間ごとにアップ回数およびダウン回数をカウントする。前記アップ回数は、両波整流回路７１ａによって整流された電圧が、予め定められた低基準電圧を下回る回数である。前記ダウン回数は、前記整流された電圧が予め定められた高基準電圧を上回る回数である。
【００７１】
さらに、比較回路７１ｂは、前記監視時間ごとの前記アップ回数または前記ダウン回数が、予め定められた回数を下回った場合に、交流電力ＡＣ０の入力が異常であることを示す入力異常信号ＥＲＲ０を出力する。入力異常信号ＥＲＲ０は、制御ユニット８のＣＰＵ６およびスイッチ制御回路７３へ伝送される。
【００７２】
ＣＰＵ６は、入力異常信号ＥＲＲ０を入力した場合に、前記シャットダウン処理を実行する。
【００７３】
モード検知回路７２は、制御系機器４０２が前記通常モードおよび前記待機モードのいずれのモードで動作中であるかを検知する回路である。本実施形態において、ＣＰＵ６が省電力モードで動作している状態が、制御系機器４０２が前記待機モードで動作している状態である。また、ＣＰＵ６が起動後に動作している状態が、制御系機器４０２が前記通常モードで動作している状態である。
【００７４】
本実施形態において、モード検知回路７２は、負荷検出コンデンサー５７ｃの電圧が予め定められたモード判定電圧を下回っているか否かを判定する比較回路である。
【００７５】
即ち、モード検知回路７２は、前記一次側回路において、負荷検出コンデンサー５７ｃの電圧レベルと予め定められたモード判定レベルとを比較することによって、制御系機器４０２が前記通常モードおよび前記待機モードのいずれのモードで動作中であるかを検知する。
【００７６】
制御系機器４０２が前記待機モードで動作している場合、全ての動力系機器４０１が停止しており、制御系機器４０２の消費電力がごく小さい。そのため、制御系機器４０２が前記待機モードで動作している場合、負荷検出コンデンサー５７ｃの電圧は、制御系機器４０２が前記標準モードで動作している場合よりも低い。
【００７７】
モード検知回路７２は、負荷検出コンデンサー５７ｃの電圧が前記モード判定電圧を下回っている場合に、制御系機器４０２が前記待機モードで動作していることを示す待機モード信号ＳＴＭ０を出力する。待機モード信号ＳＴＭ０は、スイッチ制御回路７３へ伝送される。
【００７８】
本実施形態において、給電スイッチ７４ａ，７４ｂは、第１給電スイッチ７４ａおよび第２給電スイッチ７４ｂを含む。
【００７９】
第１給電スイッチ７４ａは、主電源回路５０と動力系機器４０１の一部である第１動力系機器４０１ａとを電気的に接続する第１動力系給電ライン５８ａ上に設けられている。第１動力系機器４０１ａは、交流電力ＡＣ０の入力異常が発生したときに、一時的に動作しても特に危険ではない機器である。例えば、第１動力系機器４０１ａは、通気ファン１０５およびヒーター４７３の一方または両方を含む。
【００８０】
一方、第２給電スイッチ７４ｂは、主電源回路５０と動力系機器４０１の他の一部である第２動力系機器４０１ｂとを電気的に接続する第２動力系給電ライン５８ｂ上に設けられている。第２動力系機器４０１ｂは、動力系機器４０１のうち第１給電スイッチ７４ａと電気的に接続された第１動力系機器４０１ａを除く他の一部である。例えば、第２動力系機器４０１ｂは、駆動モーター１０３を含む。
【００８１】
第１給電スイッチ７４ａは、入力される第１スイッチ制御信号ＣＴ１に従って、主電源回路５０と第１動力系機器４０１ａとを電気的に接続する接続状態および電気的に遮断する遮断状態に切り替わる。
【００８２】
第２給電スイッチ７４ｂは、入力される第２スイッチ制御信号ＣＴ２に従って、主電源回路５０と第２動力系機器４０１ｂとを電気的に接続する接続状態および電気的に遮断する遮断状態に切り替わる。
【００８３】
第１スイッチ制御信号ＣＴ１および第２スイッチ制御信号ＣＴ２は、スイッチ制御回路７３から出力される。
【００８４】
スイッチ制御回路７３は、入力異常信号ＥＲＲ０および待機モード信号ＳＴＭ０に基づいて第１異常状態と第２異常状態とを検知する。例えば、スイッチ制御回路７３は、入力異常信号ＥＲＲ０および待機モード信号ＳＴＭ０を入力信号とする論理回路と、前記論理回路の出力信号を第１スイッチ制御信号ＣＴ１および第２スイッチ制御信号ＣＴ２へ変換する信号変換回路とを含む。
【００８５】
前記第１異常状態は、制御系機器４０２が前記通常モードで動作していることをモード検知回路７２が検知している状況下で、異常検知回路７１が交流電力ＡＣ０の入力異常を検知した状態である。
【００８６】
前記第２異常状態は、制御系機器４０２が前記待機モードで動作していることをモード検知回路７２が検知している状況下で、異常検知回路７１が交流電力ＡＣ０の入力異常を検知した状態である。
【００８７】
そして、スイッチ制御回路７３は、前記第１異常状態を検知したときに、第１給電スイッチ７４ａを前記遮断状態にさせる第１スイッチ制御信号ＣＴ１を出力する。さらに、スイッチ制御回路７３は、前記第２異常状態を検知したときに、第１給電スイッチ７４ａを前記接続状態にさせる第１スイッチ制御信号ＣＴ１を出力する。
【００８８】
また、スイッチ制御回路７３は、前記第１異常状態を検知したとき、および前記第２異常状態を検知したときに、第２給電スイッチ７４ｂを前記遮断状態にさせる第２スイッチ制御信号ＣＴ２を出力する。
【００８９】
なお、スイッチ制御回路７３は、前記第１異常状態および前記第２異常状態のいずれも検知していない場合、第１給電スイッチ７４ａを前記接続状態にさせる第１スイッチ制御信号ＣＴ１と、第２給電スイッチ７４ｂを前記接続状態にさせる第２スイッチ制御信号ＣＴ２とを出力する。
【００９０】
従って、異常検知回路７１が交流電力ＡＣ０の入力異常を検知した場合、第２動力系機器４０１ｂに対する給電は常に停止する。そのため、交流電力ＡＣ０の入力異常が発生したときに、駆動モーター１０３などの第２動力系機器４０１ｂが誤って動作してしまうことを回避できる。
【００９１】
また、制御系機器４０２が前記通常モードで動作している前記第１異常状態においては、第１動力系機器４０１ａおよび第２動力系機器４０１ｂの両方に対する給電が停止する。この場合、二次電解コンデンサー５６に蓄積された電力は、主に制御系機器４０２に対して供給される。その結果、ＣＰＵ６が前記シャットダウン処理を完了するまで、制御系機器４０２に対する電力供給が確実に継続される。
【００９２】
また、ＣＰＵ６が、前記シャットダウン処理において速やかに表示装置８２を停止させれば、交流電力ＡＣ０の入力異常が発生した後に、ユーザーが画像形成装置１０を利用可能であるかのような錯覚を覚えることを回避できる。
【００９３】
一方、制御系機器４０２が前記待機モードで動作している前記第２異常状態においては、第１動力系機器４０１ａに対する給電が継続され、第２動力系機器４０１ｂに対する給電が停止する。この場合、ＣＰＵ６は改めて前記シャットダウン処理を実行する必要がない。また、二次電解コンデンサー５６に蓄積された電力が、第１動力系機器４０１ａによって比較的速やかに消費され、表示装置８２に対する給電が比較的速やかに停止する。
【００９４】
従って、ユーザーが、交流電力ＡＣ０の入力異常が発生した後に、画像形成装置１０を利用可能であるかのような錯覚を覚えることを回避できる。
【００９５】
また、負荷フィードバック回路５７は、主電源回路５０が通常備える回路である。モード検知回路７２は、そのような負荷フィードバック回路５７の信号を利用して制御系機器４０２の動作モードを検知する。そのため、簡素なモード検知回路７２によって制御系機器４０２の動作モードを検知することができる。
【００９６】
[応用例]
以上に示された画像形成装置１０における給電回路５が、画像形成装置１０以外の電気機器に適用されることも考えられる。
【００９７】
また、ＣＰＵ６が、前記通常モードで動作しているときに通常モード信号を出力することも考えられる。そして、モード検知回路７２は、負荷検出コンデンサー５７ｃの電圧信号に代えて、前記通常モード信号を入力する。この場合、モード検知回路７２は、前記通常モード信号が出力されていない場合に、待機モード信号ＳＴＭ０を出力する回路である。
【００９８】
なお、本発明に係る電気機器は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００９９】
３        ：シート搬送部
４        ：画像形成部
５        ：給電回路
６        ：ＣＰＵ（プロセッサー）
７        ：給電制御回路
８        ：制御ユニット
９        ：シート
１０      ：画像形成装置
３０      ：シート送出部
３１      ：搬送ローラー対
４０      ：光走査ユニット
４１      ：感光体
４２      ：帯電装置
４３      ：現像装置
４４      ：トナー補給ユニット
４５      ：転写装置
４６      ：クリーニング装置
４７      ：定着装置
５０      ：主電源回路
５１      ：保護回路
５１ａ    ：ヒューズ
５１ｂ    ：バリスタ
５１ｃ    ：ノイズフィルター
５２      ：全波整流回路
５２ａ    ：ブリッジ整流回路
５２ｂ    ：一次電解コンデンサー
５３      ：電圧調整回路
５３ａ    ：電圧制御素子
５３ｂ    ：スイッチング素子
５４      ：補助電解コンデンサー
５５      ：高周波トランス
５５ａ    ：一次コイル
５５ｂ    ：二次コイル
５６      ：二次電解コンデンサー
５７      ：負荷フィードバック回路
５７ａ    ：シャントレギュレータ
５７ｂ    ：フォトカプラ
５７ｃ    ：負荷検出コンデンサー
５７ｄ    ：定電流回路
５８      ：動力系給電ライン
５８ａ    ：第１動力系給電ライン
５８ｂ    ：第２動力系給電ライン
５９      ：制御系給電ライン
６１      ：データ記憶部
６２      ：温湿度センサー
７１      ：異常検知回路
７１ａ    ：両波整流回路
７１ｂ    ：比較回路
７２      ：モード検知回路
７３      ：スイッチ制御回路
７４ａ    ：第１給電スイッチ
７４ｂ    ：第２給電スイッチ
８１      ：操作部
８２      ：表示装置
９０      ：現像剤
１００    ：本体
１０１    ：シート補給部
１０２    ：排出トレイ
１０３    ：駆動モーター
１０４    ：モーター電源
１０５    ：通気ファン
１０６    ：ファン電源
３００    ：シート搬送路
４０１    ：動力系機器
４０１ａ  ：第１動力系機器
４０１ｂ  ：第２動力系機器
４０２    ：制御系機器
４２１    ：帯電ローラー
４２２    ：帯電電圧印加回路
４３１    ：現像ローラー
４３２    ：循環搬送部
４３３    ：現像電圧印加回路
４７１    ：定着ローラー
４７２    ：加圧ローラー
４７３    ：ヒーター
４７４    ：ヒーター電源
４７５    ：定着温度センサー
１０００  ：商用電源
ＡＣ０    ：交流電力
ＣＴ１    ：第１スイッチ制御信号
ＣＴ２    ：第２スイッチ制御信号
ＥＲＲ０  ：入力異常信号
ＳＴＭ０  ：待機モード信号
【図１】
2018120534.tif 000003
【図２】
2018120534.tif 000004
【図３】
2018120534.tif 000005